(57)【要約】  例えば、演色性の高い照明装置で、ドキュメントを写真で撮る場合、正確に撮るためにサイズ可変のマーカーの表示を手軽に行うことを一例として実現する描画機能付き照明装置を提供する。描画機能付き有機ＥＬ照明装置において、照明対象物を照明するＯＬＥＤ照明パネル（１１１）と、描画対象物に情報を描画するレーザ描画ユニット（１２０）とを有する。描画対象物は、ＯＬＥＤ照明パネル（１１１）およびレーザ描画ユニット（１２０）を有する照明装置を設置した机（４０）、または机（４０）に載置したドキュメント（８０）である。そして、レーザ描画ユニット（１２０）は、机（４０）またはドキュメント（８０）の表面上に、ドキュメント（８０）を机（４０）に載置する際の配置基準を示す配置基準情報として、四角い枠（５０）、四隅を示すマーカー（６０）などを描画する。
2014038093.tif 000002
【特許請求の範囲】
【請求項１】
照明パネルと、描画対象物に情報を描画する描画ユニットとを有し、
前記描画ユニットは、載置物を前記照明パネルおよび前記描画ユニットを有する照明装置を設置した設置台に載置する際の配置基準を示す配置基準情報を描画することを特徴とする描画機能付き照明装置。
【請求項２】
請求項１に記載の描画機能付き照明装置において、
前記描画ユニットは、可視表示用の半導体レーザを有し、
前記半導体レーザにより、前記設置台または前記載置物の表面上に前記配置基準情報を描画し、
前記配置基準情報は、前記設置台に載置された前記載置物の画像データを生成するための配置基準となる情報であることを特徴とする描画機能付き照明装置。
【請求項３】
請求項２に記載の描画機能付き照明装置において、
前記描画ユニットは、前記半導体レーザの振れ角を変更するか、または前記半導体レーザの発光タイミングを変更して、前記配置基準情報を拡大または縮小するための制御を行うコントローラをさらに有することを特徴とする描画機能付き照明装置。
【請求項４】
請求項３に記載の描画機能付き照明装置において、
前記描画ユニットは、前記半導体レーザにより、前記設置台または前記載置物の表面上に、前記載置物の特徴を示す特徴情報を描画することを特徴とする描画機能付き照明装置。
【請求項５】
請求項４に記載の描画機能付き照明装置において、
前記描画ユニットは、赤外線レーザをさらに有し、
前記赤外線レーザにより、不可視の前記特徴情報を前記設置台または前記載置物の表面上に描画することを特徴とする描画機能付き照明装置。
【請求項６】
請求項５に記載の描画機能付き照明装置において、
前記特徴情報は、権利を保護するための権利保護情報、または認証を証明するための認証証明情報の何れかを含むことを特徴とする描画機能付き照明装置。
【請求項７】
請求項３に記載の描画機能付き照明装置において、
前記照明パネルは、ＯＬＥＤ照明であることを特徴とする描画機能付き照明装置。
【請求項８】
請求項３に記載の描画機能付き照明装置において、
前記描画ユニットは、前記半導体レーザにより、前記設置台または前記載置物の表面上に、前記描画機能付き照明装置の設置環境を示す環境情報を描画することを特徴とする描画機能付き照明装置。
【請求項９】
請求項８に記載の描画機能付き照明装置において、
前記描画ユニットは、前記照明パネルの高さを検出する高さセンサと、前記照明パネルの角度を検出する角度センサと、前記高さセンサおよび前記角度センサからの検出信号によるパラメータを含む歪み補正パラメータに基づいて、前記配置基準情報を描画する際の歪みを補正する歪み補正部とをさらに有することを特徴とする描画機能付き照明装置。
【発明の詳細な説明】
【技術分野】
【０００１】
本発明は、描画機能付き照明装置の技術に関し、特に、有機ＥＬ（Ｅｌｅｃｔｒｏ−Ｌｕｍｉｎｅｓｃｅｎｃｅ）照明装置に描画装置を組み込んだ描画機能付き有機ＥＬ照明装置に適用して有効な技術に関する。
【背景技術】
【０００２】
例えば、照明装置の技術においては、近年、既に製品化が進んでいるＬＥＤ（Ｌｉｇｈｔ  Ｅｍｉｔｔｉｎｇ  Ｄｉｏｄｅ）照明の後を追うように、ＯＬＥＤ（Ｏｒｇａｎｉｃ  ＬＥＤ）照明の実用化への目処も進んでいる。このＯＬＥＤ照明は、面発光で自然光に近い照明としての特徴を持ち、このＯＬＥＤ照明パネルを有する有機ＥＬ照明装置などが開発されてきている。【０００３】
また、一方で、例えば、携帯端末などには、カメラ機能でドキュメントなどの写真を撮り、この写真の台形歪みを補正する機能を備えたものが製品化されている。このカメラ機能で写真を撮る際には、前述したＯＬＥＤ照明のような自然光に近い照明が適している。また、写真の台形歪みを補正するために、四隅にマークが付けられてデータの位置を判別する方法として、例えば、ＱＲコード（登録商標）やショットノート（登録商標）と呼ばれる技術などがある。ショットノートと呼ばれる技術は、例えば、特許第４９０４４２６号明細書（特許文献１）に記載されている。
【先行技術文献】
【特許文献】
【０００４】
【特許文献１】特許第４９０４４２６号明細書
【発明の概要】
【発明が解決しようとする課題】
【０００５】
ところで、前述したような照明装置の技術に関して、本発明者が検討した結果、以下のようなことが明らかとなった。【０００６】
例えば、有機ＥＬ照明装置は、発光スペクトルの帯域がブロードなＯＬＥＤ照明であることから、この演色性の高いことを利用して、活用方法を検討する余地が残っている。この活用方法として、例えば、前述した携帯端末などのカメラ機能に関連させて、演色性の高い照明装置で、ドキュメントを写真で撮る場合、正確に撮るためにサイズ可変のマーカーの表示を手軽に行うことなどが課題として考えられる。【０００７】
そこで、本発明は、上記課題に鑑みてなされたものであり、その代表的な目的は、照明装置に描画装置を組み込んで、この描画装置による各種の付加機能として、例えば、演色性の高い照明装置で、ドキュメントを写真で撮る場合、正確に撮るためにサイズ可変のマーカーの表示を手軽に行うことを一例として実現する描画機能付き照明装置を提供することにある。
【課題を解決するための手段】
【０００８】
本願において開示される発明のうち、代表的なものの概要を簡単に説明すれば、次のとおりである。【０００９】
すなわち、請求項１に記載の発明は、照明パネルと、描画対象物に情報を描画する描画ユニットとを有する描画機能付き照明装置において、以下のような特徴を有するものである。前記描画ユニットは、載置物を前記照明パネルおよび前記描画ユニットを有する照明装置を設置した設置台に載置する際の配置基準を示す配置基準情報を描画することを特徴とする。
【図面の簡単な説明】
【００１０】
【図１】本発明の実施の形態１の描画機能付き有機ＥＬ照明装置の外観の一例を示す斜視図である。
【図２】図１に示した描画機能付き有機ＥＬ照明装置の機能構成の一例を示すブロック図である。
【図３】図１に示した描画機能付き有機ＥＬ照明装置を机に置いた状態を側面から見た一例を示す図である。
【図４】図３に示したレーザスキャンによる描画範囲を上から見た一例（四角い枠を表示した例）を示す図である。
【図５】図３に示したレーザスキャンによる描画範囲を上から見た一例（歪み補正をしない枠を表示した例）を示す図である。
【図６】図３に示したレーザスキャンによる描画範囲を上から見た一例（四角い枠と共にドキュメントの上に四隅を示すマーカーを表示した例）を示す図である。
【図７】図１に示した描画機能付き有機ＥＬ照明装置をショーウインドウでの表示に使用する場合の一例（商品名を表示した例）を示す図である。
【図８】図１に示した描画機能付き有機ＥＬ照明装置で不可視情報を表示する場合の一例（著作権を表示した例）を示す図である。
【発明を実施するための形態】
【００１１】
以下の実施の形態においては、便宜上その必要があるときは、複数の実施の形態またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および形態上明らかに特定の数に限定される場合等を除き、その特定の数に限定されるものではなく、特定の数以上でも以下でも良い。
【００１２】
さらに、以下の実施の形態において、その構成要素（要素ステップ等も含む）は、特に明示した場合および形態上明らかに必須であると考えられる場合等を除き、必ずしも必須のものではないことは言うまでもない。同様に、以下の実施の形態において、構成要素等の形状、位置関係等に言及するときは、特に明示した場合および形態上明らかにそうでないと考えられる場合等を除き、実質的にその形状等に近似または類似するもの等を含むものとする。このことは、上記数値および範囲についても同様である。
［実施の形態の概要］
まず、実施の形態の概要について説明する。本実施の形態の概要では、一例として、括弧内に各実施の形態の対応する構成要素および符号を付して説明する。
【００１３】
本実施の形態は、照明パネル（ＯＬＥＤ照明パネル１１１）と、描画対象物に情報を描画する描画ユニット（レーザ描画ユニット１２０）とを有する描画機能付き照明装置において、以下のような特徴を有するものである。前記描画ユニットは、載置物（ドキュメント８０）を前記照明パネルおよび前記描画ユニットを有する照明装置を設置した設置台（机４０）に載置する際の配置基準を示す配置基準情報（四角い枠５０、四隅を示すマーカー６０）を描画することを特徴とする。
【００１４】
以下に説明する各実施の形態においては、主に有機ＥＬ照明装置を例に説明する。この有機ＥＬ照明装置は、発光スペクトルの帯域がブロードなＯＬＥＤ照明であることから、この演色性の高いことを利用して、活用方法を検討する余地が残っている。この活用方法として、例えば、以下のような課題が考えられる。
課題１：演色性の高い有機ＥＬ照明装置で、ドキュメントを写真で撮る場合、正確に撮るためにサイズ可変のマーカーの表示を手軽に行う。
課題２：演色性の高い有機ＥＬ照明装置で、対象物に、例えば、ウォーターマークやフィンガープリントなどの不可視情報を人の目に見えない状態で付加する。
【００１５】
課題３：演色性の高い有機ＥＬ照明装置における付加価値の向上を図るために、例えば、ショーウインドウでの商品名や価格の表示、机上での各種アラーム、時計、温度、カレンダーなどの可視情報を付加する。
【００１６】
このような課題は、有機ＥＬ照明装置に、マーカーの表示や、不可視情報、可視情報を描画するための描画装置を搭載することで可能になる。そこで、本実施の形態では、有機ＥＬ照明装置に描画装置としてのレーザ描画装置を組み込んで、このレーザ描画装置による各種の付加機能を実現することができる描画機能付き照明装置を提供する。
【００１７】
以下、上述した実施の形態の概要および各課題に基づいた各実施の形態を図面に基づいて詳細に説明する。なお、実施の形態を説明するための全図において、同一機能を有するものには原則として同一の符号を付し、その繰り返しの説明は省略する。
［実施の形態１］
【００１８】
実施の形態１の描画機能付き照明装置について、図１〜図８を用いて説明する。本実施の形態１では、描画機能付き有機ＥＬ照明装置（単に照明装置と記述する場合もある）を例に説明する。
〈描画機能付き有機ＥＬ照明装置の外観〉
【００１９】
まず、図１を用いて、本実施の形態１の描画機能付き有機ＥＬ照明装置の外観について説明する。図１は、この描画機能付き有機ＥＬ照明装置の外観の一例を示す斜視図である。
【００２０】
本実施の形態１の描画機能付き有機ＥＬ照明装置は、描画機能付きＯＬＥＤ照明のパネル部１０と、このパネル部１０を支持するための支持部２０と、この支持部２０を固定するための台座部３０とを有して構成される。この描画機能付き有機ＥＬ照明装置の台座部３０は、この照明装置の設置台である机４０の上に設置される。
【００２１】
描画機能付きＯＬＥＤ照明のパネル部１０は、このパネル部１０を支持する支持部２０に沿って上下方向に移動可能であり、このパネル部１０の高さを所望の高さに調整できるようになっている。さらに、このパネル部１０は、高さの調整と共に、パネル部１０の下端部を軸として前面方向に傾斜可能であり、このパネル部１０の前面方向への角度を所望の角度に調整できるようになっている。
【００２２】
また、詳細は後述するが、描画機能付きＯＬＥＤ照明のパネル部１０には、ＯＬＥＤ照明ユニット１１０を構成するＯＬＥＤ照明パネル１１１などが配置されている。また、このパネル部１０の上端部には、レーザ描画ユニット１２０を構成する半導体レーザ１２１やＭＥＭＳ（Ｍｉｃｒｏ  Ｅｌｅｃｔｒｏ  Ｍｅｃｈａｎｉｃａｌ  Ｓｙｓｔｅｍ）ミラー１２４などを含むレーザスキャニング部が配置されている。図１においては、このレーザスキャニング部により、描画機能付き有機ＥＬ照明装置を置いた机４０の上に四角い枠５０を表示し、この四角い枠５０に収まるように置いたドキュメント８０の上に四隅を示すマーカー６０を表示している例を図示している。
【００２３】
また、図１では、四角い枠５０と四隅を示すマーカー６０との表示を、小さいサイズと大きいサイズとの２種類（後述するように２種類に限定されるものではない）のサイズが表示可能であることを図示している。これは、四角い枠５０と四隅を示すマーカー６０とのサイズを、ドキュメント８０のサイズに合わせて、拡大または縮小できることを示している。
【００２４】
この拡大または縮小によりサイズ可変の四角い枠５０と四隅を示すマーカー６０は、描画機能付き有機ＥＬ照明装置を置いた机４０、または机４０に置いたドキュメント８０の表面上に、このドキュメント８０を机４０に載置する際の配置基準を示す配置基準情報である。
〈描画機能付き有機ＥＬ照明装置の機能構成〉
【００２５】
次に、図２を用いて、図１に示した描画機能付き有機ＥＬ照明装置の機能構成について説明する。図２は、この描画機能付き有機ＥＬ照明装置の機能構成の一例を示すブロック図である。
【００２６】
本実施の形態１の描画機能付き有機ＥＬ照明装置は、照明対象物を照明するためのＯＬＥＤ照明ユニット１１０と、描画対象物に情報を描画するためのレーザ描画ユニット１２０と、ＯＬＥＤ照明ユニット１１０およびレーザ描画ユニット１２０を制御するための制御ユニット１３０とを有して構成される。
【００２７】
ＯＬＥＤ照明ユニット１１０は、照明対象物を照明するＯＬＥＤ照明パネル１１１と、このＯＬＥＤ照明パネル１１１を駆動するＯＬＥＤドライバ１１２と、このＯＬＥＤドライバ１１２を制御するＯＬＥＤコントローラ１１３とを有して構成される。
【００２８】
ＯＬＥＤ照明パネル１１１は、入力側がＯＬＥＤドライバ１１２に接続され、このＯＬＥＤドライバ１１２からの駆動信号により照明対象物を照明する照明部である。このＯＬＥＤ照明パネル１１１は、Ｒ（Ｒｅｄ）Ｇ（Ｇｒｅｅｎ）Ｂ（Ｂｌｕｅ）の単色または組み合わせ色におけるＲＧＢの各値の設定による輝度調整および色調調整が可能な構成となっている。
【００２９】
ＯＬＥＤドライバ１１２は、入力側がＯＬＥＤコントローラ１１３に接続されて、出力側がＯＬＥＤ照明パネル１１１に接続され、ＯＬＥＤコントローラ１１３からの制御信号によりＯＬＥＤ照明パネル１１１を駆動する駆動部である。
【００３０】
ＯＬＥＤコントローラ１１３は、入力側が制御ユニット１３０に接続されて、出力側がＯＬＥＤドライバ１１２に接続され、制御ユニット１３０からの制御信号によりＯＬＥＤドライバ１１２を制御する制御部である。
【００３１】
以上のように構成されるＯＬＥＤ照明ユニット１１０において、ＯＬＥＤ照明パネル１１１は、図１に示したパネル部１０の本体部分である。ＯＬＥＤドライバ１１２とＯＬＥＤコントローラ１１３とは、例えばＯＬＥＤ照明パネル１１１の裏側などに配置される。
【００３２】
レーザ描画ユニット１２０は、レーザ光を照射する半導体レーザ１２１と、この半導体レーザ１２１を駆動するレーザドライバ１２２と、このレーザドライバ１２２を制御するレーザコントローラ１２３と、レーザ光をスキャニングして描画対象物に情報を描画するＭＥＭＳミラー１２４と、このＭＥＭＳミラー１２４を駆動するミラードライバ１２５と、このミラードライバ１２５を制御するミラーコントローラ１２６とを有して構成される。
【００３３】
このレーザ描画ユニット１２０には、さらに、ＭＥＭＳミラー１２４の位置角度を検出する位置角度センサ１２７と、ＯＬＥＤ照明パネル１１１の高さを検出する高さセンサ１２８と、ＯＬＥＤ照明パネル１１１の角度を検出する角度センサ（１）１２９ａ，（２）１２９ｂとを有している。
【００３４】
半導体レーザ１２１は、入力側がレーザドライバ１２２に接続され、このレーザドライバ１２２からの駆動信号によりＭＥＭＳミラー１２４にレーザ光を照射する照射部である。この半導体レーザ１２１は、情報を可視状態で表示（ＲＧＢの単色または組み合わせ色）するための可視表示用のＲＧＢレーザ１２１ａと、情報を不可視状態で表示するための不可視表示用のＩＲ（ＩｎｆｒａＲｅｄ：赤外線）レーザ１２１ｂとを有する構成となっている。
【００３５】
レーザドライバ１２２は、入力側がレーザコントローラ１２３に接続されて、出力側が半導体レーザ１２１に接続され、レーザコントローラ１２３からの制御信号により半導体レーザ１２１を駆動する駆動部である。
【００３６】
レーザコントローラ１２３は、入力側が制御ユニット１３０に接続されて、出力側がレーザドライバ１２２に接続され、制御ユニット１３０からの制御信号によりレーザドライバ１２２を制御する制御部である。
【００３７】
ＭＥＭＳミラー１２４は、入力側がミラードライバ１２５に接続され、このミラードライバ１２５からの駆動信号により半導体レーザ１２１からのレーザ光をスキャニングして描画対象物に情報を描画するスキャニング部である。このＭＥＭＳミラー１２４は、ＭＥＭＳ技術により微細なミラーがＬＳＩ基板上に形成された構成となっている。また、このレーザ光のスキャニングにおいて、ＭＥＭＳミラー１２４だけでは十分な振れ幅や振れ角が得られない場合には、ＭＥＭＳミラーとレンズとの組み合わせにより、振れ幅や振れ角を大きくすることも可能である。
【００３８】
ミラードライバ１２５は、入力側がミラーコントローラ１２６に接続されて、出力側がＭＥＭＳミラー１２４に接続され、ミラーコントローラ１２６からの制御信号によりＭＥＭＳミラー１２４を駆動する駆動部である。
【００３９】
ミラーコントローラ１２６は、入力側が制御ユニット１３０に接続されて、出力側がミラードライバ１２５に接続され、制御ユニット１３０からの制御信号によりミラードライバ１２５を制御する制御部である。また、このミラーコントローラ１２６には、ＯＬＥＤ照明パネル１１１の高さセンサ１２８と角度センサ（１）１２９ａ，（２）１２９ｂとから検出信号が入力され、また、ＭＥＭＳミラー１２４の位置角度センサ１２７からの検出信号が入力され、これらの検出信号に基づいて、レーザ描画ユニット１２０による描画の歪みを補正する歪み補正部１２６ａも含まれている。
【００４０】
位置角度センサ１２７は、出力側がミラーコントローラ１２６に接続され、ＭＥＭＳミラー１２４の位置角度を検出し、この検出信号をミラーコントローラ１２６に出力する検出器である。
【００４１】
高さセンサ１２８は、出力側がミラーコントローラ１２６に接続され、ＯＬＥＤ照明パネル１１１の高さを検出し、この検出信号をミラーコントローラ１２６に出力する検出器である。この高さセンサ１２８には、例えばポテンショメータなどが用いられる。
【００４２】
角度センサ（１）１２９ａ，（２）１２９ｂは、それぞれ、出力側がミラーコントローラ１２６に接続され、ＯＬＥＤ照明パネル１１１の角度を検出し、この検出信号をミラーコントローラ１２６に出力する検出器である。この角度センサ（１）１２９ａ，（２）１２９ｂには、例えばポテンショメータなどが用いられる。
【００４３】
以上のように構成されるレーザ描画ユニット１２０において、半導体レーザ１２１は、例えばＯＬＥＤ照明パネル１１１の上端部に配置される。ＭＥＭＳミラー１２４は、例えば、ＯＬＥＤ照明パネル１１１の上端部に、半導体レーザ１２１からのレーザ光の光路上に配置される。レーザドライバ１２２とレーザコントローラ１２３とミラードライバ１２５とミラーコントローラ１２６とは、例えばＯＬＥＤ照明パネル１１１の裏側などに配置される。位置角度センサ１２７は、ＭＥＭＳミラー１２４の近傍に配置される。高さセンサ１２８は、例えばＯＬＥＤ照明パネル１１１の下端部に配置される（図３に図示）。角度センサ（１）１２９ａ，（２）１２９ｂは、例えばＯＬＥＤ照明パネル１１１の上端部と下端部とにそれぞれ配置される（図３に図示）。
【００４４】
制御ユニット１３０は、総合コントローラ１３１と、Ｉ／Ｏコントローラ１３２と、ＣＰＵ１３３と、メモリ１３４と、電源１３５とを有して構成される。この制御ユニット１３０を構成する、総合コントローラ１３１とＩ／Ｏコントローラ１３２とＣＰＵ１３３とメモリ１３４とはＢＵＳにより接続され、さらにこのＢＵＳにはＯＬＥＤコントローラ１１３とレーザコントローラ１２３とミラーコントローラ１２６とが接続されている。
【００４５】
総合コントローラ１３１は、レーザ描画ユニット１２０およびＯＬＥＤ照明ユニット１１０を制御する照明装置全体の制御部である。この総合コントローラ１３１には、操作者により操作可能なタッチ方式の操作パネル１３１ａも含まれる。
【００４６】
Ｉ／Ｏコントローラ１３２は、ＵＳＢ（Ｕｎｉｖｅｒｓａｌ  Ｓｅｒｉａｌ  Ｂｕｓ）などを通じて外部と接続され、外部制御のインタフェースを司る制御部である。
ＣＰＵ１３３は、メモリ１３４に記憶されている各種制御プログラムや各種データなどを読み出して、各種制御を実行するための中央演算処理装置である。
【００４７】
メモリ１３４は、総合コントローラ１３１の操作パネル１３１ａ上の各スイッチの操作により実行される各種制御プログラムなどを記憶すると共に、各種制御プログラムの実行に必要な各種データや実行後の各種データなどを記憶する記憶部である。
電源１３５は、照明装置内の各部の可動に必要な電圧を生成して、各部に電圧を供給するための電源部である。
【００４８】
以上のように構成される制御ユニット１３０において、総合コントローラ１３１とＩ／Ｏコントローラ１３２とＣＰＵ１３３とメモリ１３４と電源１３５とは、例えば図１に示した台座部３０に配置される。このうち、総合コントローラ１３１は、この操作パネル１３１ａが台座部３０の表面上に配置され、操作者により操作が可能となっている。また、Ｉ／Ｏコントローラ１３２とＣＰＵ１３３とメモリ１３４と電源１３５とは、図１に示した台座部３０の内部に配置される。なお、総合コントローラ１３１などは、台座部３０に配置する場合に限らず、例えばクラウド対応として、台座部３０以外に独立して存在しても良い。
【００４９】
総合コントローラ１３１の操作パネル１３１ａには、ＯＬＥＤ照明ユニット１１０とレーザ描画ユニット１２０とを独立に可動するためのモードスイッチが配置されている。さらに、ＯＬＥＤ照明ユニット１１０の可動に関しては、ＯＬＥＤ照明ユニット１１０をオン／オフするためのオン／オフスイッチと、輝度を調整するための輝度調整スイッチと、色調を調整するための色調調整スイッチとが配置されている。また、レーザ描画ユニット１２０の可動に関しては、レーザ描画ユニット１２０をオン／オフするためのオン／オフスイッチと、輝度を調整するための輝度調整スイッチとが配置されている。
【００５０】
さらに、総合コントローラ１３１の操作パネル１３１ａには、レーザ描画ユニット１２０に関して、ドキュメント８０のサイズを選択すると共に、このドキュメントサイズに合わせて縦横比などを微調整するためのドキュメントサイズ選択調整スイッチと、レーザ描画ユニット１２０による描画の歪み補正機能のマニュアル／オートを切り替えるための歪み補正マニュアル／オートスイッチなども配置されている。なお、操作パネル１３１ａのスイッチとしては、本実施の形態１の説明に必要なスイッチのみを挙げている。
【００５１】
この操作パネル１３１ａの各スイッチが操作者により操作されると、この操作された各スイッチに対応する処理が各種制御プログラムの実行の下で行われ、以下に示すような各種の使用形態での使用が可能となる。
〈描画機能付き有機ＥＬ照明装置の使用形態〉
次に、図３〜図８を用いて、図１および図２に示した本実施の形態１の描画機能付き有機ＥＬ照明装置の使用形態について順に説明する。
《照明スタンドとして使用する場合》
【００５２】
一般的な照明スタンドとして使用する場合は、本実施の形態１の描画機能付き有機ＥＬ照明装置を机４０の上に置いて使用する。この場合、総合コントローラ１３１の操作パネル１３１ａにおいて、モードスイッチとしてＯＬＥＤ照明ユニット１１０を選択して、このＯＬＥＤ照明ユニット１１０のオン／オフスイッチをオンにすることで、照明スタンドとして使用することができる。
【００５３】
この照明スタンドとして使用している場合には、ＯＬＥＤコントローラ１１３とＯＬＥＤドライバ１１２を介してＯＬＥＤ照明パネル１１１を駆動し、ＯＬＥＤ照明パネル１１１からの照明光は、照明対象物である、机４０の上または机４０の上に載置されたドキュメント８０などを照明する。この照明対象物を照明する照明光は、輝度調整スイッチにより輝度を調整することができ、また、色調調整スイッチにより色調を調整することができる。この照明スタンドとして使用する場合には、枠やマーカー、文字などは表示されない。
《位置決めマーカー表示モードで使用する場合》
【００５４】
位置決めマーカー表示モードで使用する場合は、前述した携帯端末などのカメラ機能に関連させて、演色性の高い本実施の形態１の描画機能付き有機ＥＬ照明装置で、ドキュメント８０を写真で撮る場合、正確に撮るためにサイズ可変のマーカーの表示を手軽に行う場合に適用される。すなわち、半導体レーザ１２１（ＲＧＢレーザ１２１ａ）により、描画機能付き有機ＥＬ照明装置を設置した机４０または机４０に載置したドキュメント８０の表面上に配置基準情報を描画する。この配置基準情報は、机４０に載置されたドキュメント８０の画像データを生成するための配置基準、この場合にはドキュメント８０の写真を撮るためのドキュメント８０の配置基準となる情報であり、四角い枠５０、または四隅を示すマーカー６０、またはその両方である。
【００５５】
例えば、予めマーカーが印刷されているドキュメントを、スマートフォンで写真を撮り、台形歪みを補正するツールがスマートフォンのアプリにある。このスマートフォンで写真を撮り、台形歪みを補正できるマーカーを表示する機能で使用するために、この位置決めマーカー表示モードを使用する。
【００５６】
この位置決めマーカー表示モードでは、机４０の上やドキュメント８０の上にマーカーを独立に表示するため、色々な大きさのドキュメント８０にも対応でき、さらに昔のドキュメント８０、すなわちマーカーが紙に付いていないものにも対応できる。
この位置決めマーカー表示モードにおける処理の仕方を詳細に説明する。この処理の仕方は、以下の手順となる。
（１）本実施の形態１の描画機能付き有機ＥＬ照明装置を机４０の上に置いている状態で、操作者は、この机４０の上にドキュメント８０を置く。
【００５７】
（２）操作者は、総合コントローラ１３１の操作パネル１３１ａにおいて、モードスイッチとしてレーザ描画ユニット１２０を選択して、このレーザ描画ユニット１２０のオン／オフスイッチをオンにすることで、レーザ描画ユニット１２０による位置決めマーカー表示モードとして使用することができる。
【００５８】
さらに、この位置決めマーカー表示モードにおいて、操作者は、操作パネル１３１ａのドキュメントサイズ選択調整スイッチにより、机４０の上に置いたドキュメント８０のサイズを選択する。これにより、机４０の上には、選択したサイズの四角い枠５０を表示することができる（図４で詳述）。この四角い枠５０の表示は、レーザコントローラ１２３の制御によりレーザドライバ１２２を介して半導体レーザ１２１（ＲＧＢレーザ１２１ａ）を駆動すると共に、ミラーコントローラ１２６の制御によりミラードライバ１２５を介してＭＥＭＳミラー１２４を駆動し、ＲＧＢレーザ１２１ａから発光されるレーザ光をＭＥＭＳミラー１２４によりスキャンして描画することができる。
【００５９】
この四角い枠５０を描画する際には、四隅が直角になるように、ミラーコントローラ１２６に含まれる歪み補正部１２６ａによる調整機能を動作させている。この歪み補正部１２６ａによる調整機能は、歪み補正マニュアル／オートスイッチにより、マニュアルとオートとのいずれかを選択することができる。例えば、オートの場合は、高さセンサ１２８による高さ検出機構と角度センサ（１）１２９ａ，（２）１２９ｂによる角度検出機構とからの検出データに基づいて演算したり、またはメモリ１３４に予め格納されている歪み補正変換用テーブルを参照し、レーザスキャンのｘ−ｙ角度を調整することで、四隅が直角な四角い枠５０を表示することが可能となる。なお、マニュアルにより、レーザスキャンのｘ−ｙ角度を調整して、四隅が直角な四角い枠５０を表示することもできる。
【００６０】
そして、操作者は、表示された四角い枠５０に収まるように、ドキュメント８０の角度、位置を調整する。このドキュメント８０の角度、位置の調整において、四角い枠５０の大きさがドキュメント８０の大きさに合わなかった場合は、歪み補正部１２６ａによる調整機能をマニュアルにして、ドキュメントサイズ選択調整スイッチにより、前述した図１に示したように、四角い枠５０の大きさを拡大または縮小し、また必要に応じて、縦横比などが異なる場合には微調整して、ドキュメント８０が四角い枠５０に収まるように枠５０の大きさを調整する。
【００６１】
（３）レーザ描画ユニット１２０による位置決めマーカー表示モードでは、歪み補正マニュアル／オートスイッチのオートにおいて、四角い枠５０を表示すると共に、この四角い枠５０の表示と同様にして、ドキュメント８０の表面上の四隅に、このドキュメント８０を写真で撮る場合の四隅を示すマーカー６０を表示する（図６で詳述）。このマーカー６０を表示している場合には、必要であれば、四角い枠５０を消すことも可能である。このドキュメント８０の表面上の四隅にマーカー６０を表示している状態において、スマートフォンでドキュメント８０の写真を撮る。この場合には、ＯＬＥＤ照明ユニット１１０もオンにして、ＯＬＥＤ照明パネル１１１からの照明光でドキュメント８０を照らしながら写真を撮る。このドキュメント８０の写真は、スマートフォンの台形歪みを補正するツールにより、台形歪みが補正されて正確に撮ることができるようになる。
ここで、前述した四角い枠５０、四隅を示すマーカー６０が描画できる仕組みについて、前述した図１や、図３〜図６に基づいて詳細に説明する。
【００６２】
図３は、前述した図１（描画機能付き有機ＥＬ照明装置を机４０に置いた状態）を側面から見た一例を示す図である。図３において、机４０の上に置かれた描画機能付き有機ＥＬ照明装置は、台座部３０に対して９０°で、パネル部１０を支持する支持部２０が固定されている。パネル部１０（ＯＬＥＤ照明パネル１１１）は、下端部の高さが、机４０の表面から高さｈの位置でロックしている。この高さｈのパラメータは、パネル部１０の下端部に配置された高さセンサ１２８により検出される。また、パネル部１０の下端部の角度は、机４０の表面と平行な面から角度θ１で前面側（机４０の表面方向）に傾斜している。この角度θ１のパラメータは、パネル部１０の下端部に配置された角度センサ（１）１２９ａにより検出される。また、レーザスキャンの角度（縦方向＝ｙ方向）は、パネル部１０の表面と直角な面からスキャンの中心位置までが角度θ２となっている。この角度θ２のパラメータは、パネル部１０の上端部に配置された角度センサ（２）１２９ｂにより検出される。
【００６３】
描画機能付き有機ＥＬ照明装置は、通常は照明として使用しているので、高さｈおよび角度θ１は、多くの場合、最初に決められた値となっている。また、初期状態では照明の中心に四角い枠５０の中心を設定してある。
【００６４】
この状態において、高さセンサ１２８でｈ、角度センサ（１）１２９ａでθ１、角度センサ（２）１２９ｂでθ２は検出可能であり、自動的に、机４０の表面上における寸法ｄ１、ｄ２などの値は得られる。ｄ２はレーザスキャンの振れ角αの寸法（この振れ角αの寸法をｙ方向の寸法とすると、ｘ方向の寸法は図４に示す振れ幅となる）であり、ｄ１はレーザスキャンの振れ角αの支持部２０側端部と支持部２０の中心部までの寸法である。
【００６５】
初期オプションで、ドキュメント８０はＡ４、Ａ３、Ｂ４、Ｂ５などのサイズを選択すると、これらのパラメータから枠５０を得るための振れ角αなどが計算されて、この振れ角αによる寸法ｄ２と、振れ幅の寸法とに基づいて四角い枠５０が表示される。この四角い枠５０を表示した例が、図４である。図４は、図３（レーザスキャンによる描画範囲）を上から見た一例を示す図であり、歪み補正部１２６ａによる調整機能を動作させて、四隅が直角な四角い枠５０を表示した例である。この四角い枠５０の表示においては、例えば左から右の方向へ、かつ上から下の方向へのスキャンにより、四角い枠５０の部分でのみＲＧＢレーザ１２１ａを発光させ、枠以外の部分（図４の白地の部分）では発光させない制御を行うことで、四角い枠５０を表示することができる。この場合のスキャンは、四角い枠５０の上辺と下辺とで振れ幅は同じであり、振れ角は上辺で小さくし、下辺に行くに従って大きくする。
【００６６】
これに対して、歪み補正部１２６ａによる調整機能を動作させない場合には、図５（図３（レーザスキャンによる描画範囲）を上から見た一例を示す図）に示すように、上辺および下辺がレーザスキャンのスキャン軌跡に沿って湾曲になり、四隅が直角な四角い枠５０とはならない。すなわち、歪み補正をしない枠７０が表示される。なお、本実施の形態１において、レーザスキャンによる描画範囲は、図５に破線で示した扇状の範囲内である。
【００６７】
また、四角い枠５０と共に、置いたドキュメント８０の上に四隅を示すマーカー６０を表示した例が、図６である。図６は、図３（レーザスキャンによる描画範囲）を上から見た一例を示す図であり、四角い枠５０は破線で示しており、この枠５０に収まるようにドキュメント８０が置かれている。四隅を示すマーカー６０は、図６の例では、上から見た状態において、右下の隅は基準点として四角に×印を示したマーカーを表示し、他の右上と左上と左下の３つの隅にはＬ字を示したマーカーを表示している。この四隅を示すマーカー６０は、この形状に限られるものではない。
【００６８】
このように、位置決めマーカー表示モードで使用する場合には、四角い枠５０、四隅を示すマーカー６０を表示することができる。また、四角い枠５０は、四隅が直角な四角い枠５０として表示することができる。この結果、ドキュメント８０を写真で撮る場合に正確に撮るために、サイズ可変（拡大または縮小、また必要に応じて縦横比などを微調整可能、例えば前述した図１では２種類のサイズを表示可能であることを図示）のマーカー６０の表示を手軽に行うことができる。
《ショーウインドウでの表示に使用する場合》
【００６９】
ショーウインドウでの表示に使用する場合は、演色性の高い本実施の形態１の描画機能付き有機ＥＬ照明装置における付加価値の向上を図るために、人の目に見える可視情報を表示する場合に適用される。すなわち、半導体レーザ１２１（ＲＧＢレーザ１２１ａ）により、描画機能付き有機ＥＬ照明装置を設置した机４０などの設置台、または設置台に載置した商品などの載置物の表面上に、この載置物の特徴を示す特徴情報を描画する。
【００７０】
例えば、図７に一例を示すように、ショーウインドウでは、そこに展示された商品をＯＬＥＤ照明パネル１１１からの照明光で照らしながら、この商品の商品名「商品○○○」を表示することができる。その他に、商品の価格などを表示することができる。この場合にも、前述したレーザ描画ユニット１２０（ＲＧＢレーザ１２１ａ、ＭＥＭＳミラー１２４など）によるレーザスキャンにより、商品名や価格などの文字を表示することができる。
【００７１】
また、演色性の高い本実施の形態１の描画機能付き有機ＥＬ照明装置における付加価値の向上を図るためには、ショーウインドウでの表示に限らず、描画機能付き有機ＥＬ照明装置を設置した机４０などの設置台、または設置台に載置した載置物の表面上に、この照明装置の設置環境を示す環境情報を描画する。例えば、照明装置を置いた机４０の上に、時計や温度、カレンダー、メールメッセージアラーム、緊急地震速報などの可視情報を表示することも可能である。
《不可視情報を表示する場合》
【００７２】
不可視情報を表示する場合は、演色性の高い本実施の形態１の描画機能付き有機ＥＬ照明装置で、対象物に不可視情報を人の目に見えない状態で付加する場合に適用される。すなわち、ＩＲレーザ１２１ｂにより、ドキュメント８０などの載置物の特徴を示す特徴情報として、権利を保護するための権利保護情報、または認証を証明するための認証証明情報を含む不可視情報を不可視状態で、机４０などの設置台、または設置台に載置したドキュメント８０などの載置物の表面上に描画する。
【００７３】
この不可視情報としては、前述したレーザ描画ユニット（ＩＲレーザ１２１ｂ、ＭＥＭＳミラー１２４など）によるレーザスキャンにより、ウォーターマークと呼ばれる著作権などの権利保護情報や、フィンガープリントと呼ばれる認証証明情報、撮影禁止の情報などを目に見えない状態で埋め込む。例えば、図８に一例を示すように、著作権「Ｃｏｐｙｒｉｇｈｔ」などを表示することができる。これは、目に見えないが、前述したスマートフォンなどで写真を撮った場合には表示させることができる情報である。
〈実施の形態１の効果〉
以上説明した本実施の形態１の描画機能付き有機ＥＬ照明装置によれば、以下のような効果を得ることができる。
【００７４】
（１）ＯＬＥＤ照明パネル１１１とレーザ描画ユニット１２０などを有する構成において、レーザ描画ユニット１２０は、照明装置を設置した机４０、または机４０に載置したドキュメント８０の表面上に、ドキュメント８０を机４０に載置する際の配置基準を示す配置基準情報として、四角い枠５０、四隅を示すマーカー６０などを描画することができる。例えば、従来は、照明装置、特にＯＬＥＤ照明のような演色性の高い照明装置にレーザ描画ユニットを組み込んだ例はないので、本実施の形態では、このレーザ描画ユニットによる各種の付加機能を実現することができる。
【００７５】
（２）レーザ描画ユニット１２０は、可視表示用の半導体レーザ１２１を有する構成において、半導体レーザ１２１により描画する配置基準情報として、机４０に載置されたドキュメント８０の写真を撮るためのドキュメント８０の配置基準となる、四角い枠５０、または四隅を示すマーカー６０、またはその両方を表示することができる。
【００７６】
（３）レーザ描画ユニット１２０は、半導体レーザ１２１の振れ角を変更して、描画する四角い枠５０、または四隅を示すマーカー６０、またはその両方を拡大または縮小するための制御を行うレーザコントローラ１２３およびミラーコントローラ１２６をさらに有する構成において、レーザコントローラ１２３およびミラーコントローラ１２６により、四角い枠５０、または四隅を示すマーカー６０、またはその両方を拡大または縮小して、ドキュメント８０としての多様なサイズの基準位置を表示することができる。
【００７７】
例えば、従来は、写真でドキュメント８０を撮る場合の台形補正のための手法として、予め紙にマーカーを印刷したり、透明なカバーにマーカーを印刷してそれを紙の上に載せたりする例があるが、以下のような欠点があった。例えば、形状が決まっており、サイズ変更には対応できなかったり、古いドキュメントに対応できなかったり、透明カバーをかけることによる画質の劣化があるという欠点があった。このような欠点を、本実施の形態では解決することができる。
【００７８】
（４）レーザ描画ユニット１２０は、半導体レーザ１２１としてＲＧＢレーザ１２１ａを有する構成において、ＲＧＢレーザ１２１ａにより、照明装置の設置台に載置した載置物の特徴を示す特徴情報として、例えば、ショーウインドウでの表示に使用する場合には、商品の商品名や価格などを表示することができる。このような使用形態では、展示会などのディスプレイに最適である。
【００７９】
（５）レーザ描画ユニット１２０は、不可視表示用のＩＲレーザ１２１ｂをさらに有する構成において、ＩＲレーザ１２１ｂにより、Ｃｏｐｙｒｉｇｈｔ、フィンガープリント、ウォーターマーク、撮影禁止などの、権利保護情報や認証証明情報を含む不可視情報を不可視状態で、机４０またはドキュメント８０などの表面上に描画することができる。
【００８０】
（６）照明パネルとして、発光スペクトルの帯域がブロードなＯＬＥＤ照明パネル１１１を有する構成により、演色性の良いＯＬＥＤ照明を使うことで、ドキュメント８０内の写真や、カラーによるアピールを行う必要があるものに関して、マーカー６０を表示して写真を撮ることは大きなメリットである。
【００８１】
（７）ＯＬＥＤ照明パネル１１１による照明対象物の照明面と、レーザ描画ユニット１２０による描画対象物の描画面とは、同一平面とすることができる。特に、照明面の範囲と描画面の範囲とは、同一平面で視覚的に一致する範囲とすることができる。これは、写真を撮る時に良好である。
【００８２】
（８）レーザ描画ユニット１２０は、半導体レーザ１２１としてＲＧＢレーザ１２１ａを有する構成において、ＲＧＢレーザ１２１ａにより、照明装置の設置環境を示す環境情報として、例えば、照明装置を置いた机４０の上などに、時計や温度、カレンダー、メールメッセージアラーム、緊急地震速報などを表示することができる。
【００８３】
（９）レーザ描画ユニット１２０とＯＬＥＤ照明ユニット１１０とを独立に動作させる総合コントローラ１３１（操作パネル１３１ａ）などを有することで、照明スタンドとして使用する場合、位置決めマーカー表示モードで使用する場合、ショーウインドウでの表示に使用する場合、不可視情報を表示する場合などに適用することができる。
【００８４】
（１０）レーザ描画ユニット１２０は、高さセンサ１２８、角度センサ（１）１２９ａ，（２）１２９ｂ、歪み補正部１２６ａを有する構成において、歪み補正部１２６ａにより、高さセンサ１２８および角度センサ（１）１２９ａ，（２）１２９ｂからの検出信号によるパラメータを含む歪み補正パラメータに基づいて、四角い枠５０、四隅を示すマーカー６０を描画する際の歪み補正機能を実現することができる。
【００８５】
（１１）総合コントローラ１３１は、歪み補正マニュアル／オートスイッチ、ドキュメントサイズ選択調整スイッチなどを含む操作パネル１３１ａを有する構成において、歪み補正マニュアル／オートスイッチにより、歪み補正部１２６ａによる歪み補正機能のマニュアル／オートを切り替えることができ、また、ドキュメントサイズ選択調整スイッチにより、四角い枠５０、四隅を示すマーカー６０を描画する際のドキュメント８０に対応したサイズを選択調整することができる。
［実施の形態２］
【００８６】
実施の形態２の描画機能付き照明装置（描画機能付き有機ＥＬ照明装置）について、前述した図５を用いて説明する。以下においては、前記実施の形態１と異なる点を主に説明する。
【００８７】
本実施の形態２の描画機能付き有機ＥＬ照明装置は、実施の形態１に比べてローコスト版の構成とした例である。このローコスト版においては、レーザ描画ユニット１２０によるレーザスキャンのガイド表示に関して歪み補正機能を付けなくても良い。例えば、実施の形態１では、歪み補正部１２６ａによる調整機能を動作させて四隅が直角な四角い枠５０を表示させたが、必ずしも四隅が直角な四角い枠５０である必要はなく、この枠は正しく表示されていれば良いので、本実施の形態２では、所定の位置で表示される図５のような歪み補正をしない枠７０を表示する。
【００８８】
本実施の形態２の描画機能付き有機ＥＬ照明装置によれば、実施の形態１と異なる効果として、レーザ描画ユニット１２０において、歪み補正部１２６ａなどを含む歪み補正機能が不要となるので、装置を価格的にローコスト版の構成とすることができる。
［実施の形態３］
【００８９】
実施の形態３の描画機能付き照明装置（描画機能付き有機ＥＬ照明装置）について、前述した図４〜図８を用いて説明する。以下においては、前記実施の形態１と異なる点を主に説明する。
【００９０】
前記実施の形態１では、レーザ描画ユニット１２０によるレーザスキャンにおいて、位置によりスキャンの振幅（振れ角）を変えたが、振幅は変更せず、半導体レーザ１２１の発光のタイミングを変えてガイド表示、文字表示を行っても良い。本実施の形態３は、レーザスキャンの振幅は変更せずに、半導体レーザ１２１の発光タイミングを変える例である。例えば、図４のように、四角い枠５０の上辺では振れ角を小さくし、下辺に行くに従って振れ角を大きくするようなことをせずに、振れ角は大きい状態で、四角い枠５０を表示させる箇所のみでＲＧＢレーザ１２１ａを発光させることで、四角い枠５０を表示することができる。
【００９１】
また、図５のように歪み補正をしない枠７０を表示させる場合、図６のように四隅を示すマーカー６０を表示させる場合、図７のように商品名「商品○○○」などを表示させる場合、図８のように著作権「Ｃｏｐｙｒｉｇｈｔ」などを不可視状態で表示させる場合も同様である。
【００９２】
本実施の形態３の描画機能付き有機ＥＬ照明装置によれば、実施の形態１と異なる効果として、レーザ描画ユニット１２０において、レーザスキャンの振幅は変更せずに、半導体レーザ１２１（ＲＧＢレーザ１２１ａ、ＩＲレーザ１２１ｂ）の発光タイミングを変えるだけでガイド表示、文字表示を行うことができる。
［実施の形態４］
【００９３】
実施の形態４の描画機能付き照明装置（描画機能付き有機ＥＬ照明装置）について、前述した図２を用いて説明する。以下においては、前記実施の形態１と異なる点を主に説明する。
【００９４】
前記実施の形態１のような描画機能付き有機ＥＬ照明装置は、ＯＬＥＤ照明ユニット１１０のＯＬＥＤ照明パネル１１１の部分（図２）に関して、この照明のためのＲＧＢの値はユーザが設定することができるが、本実施の形態４では、このユーザが設定したＲＧＢの値を半導体レーザ１２１で表示させる例である。例えば、レーザ描画ユニット１２０によるレーザスキャンにおいて、ユーザが設定したＲＧＢの値を表示することができる。
【００９５】
本実施の形態４の描画機能付き有機ＥＬ照明装置によれば、実施の形態１と異なる効果として、レーザ描画ユニット１２０において、ユーザが設定したＯＬＥＤ照明パネル１１１のＲＧＢの値を半導体レーザ１２１で表示させることで、後日、いつどのようなＲＧＢ値が好ましかったかを記録することができる。
［実施の形態５］
実施の形態５の描画機能付き照明装置について、前述した図２を用いて説明する。以下においては、前記実施の形態１と異なる点を主に説明する。
【００９６】
前記実施の形態１〜４では、描画機能付き有機ＥＬ照明装置を例に、ＯＬＥＤ照明パネル１１１（図２）を示したが、本実施の形態５は、他の照明パネルにも適用できる例である。例えば、白色ＬＥＤなどの照明パネルでも良い。
【００９７】
本実施の形態５の描画機能付き照明装置によれば、実施の形態１と異なる効果として、ＯＬＥＤ照明パネル１１１以外の、例えば白色ＬＥＤなどの照明パネルにも適用することができる。
【００９８】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、上記した実施の形態は、本発明を分かり易く説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【図１】
2014038093.tif 000003
【図２】
2014038093.tif 000004
【図３】
2014038093.tif 000005
【図４】
2014038093.tif 000006
【図５】
2014038093.tif 000007
【図６】
2014038093.tif 000008
【図７】
2014038093.tif 000009
【図８】
2014038093.tif 000010
【国際調査報告】
2014038093.tif 000011
2014038093.tif 000012
2014038093.tif 000013
2014038093.tif 000014